Podtech/llm-jp-corpus-v4-ja_patent huggingface dataset:
(57)【要約】      （修正有）【課題】夜間にコードレスにて照明を灯し、利用者側に在所を判りやすく装飾的効果をよくする為の屋外用ゴミ箱を提供する。【解決手段】ゴミ箱本体１の丈夫にソーラー発電装置２を取付け、ゴミ箱本体１の上部におけるひさし裏側にＬＥＤ照明３を取付けてなる。【選択図】図３
0003101844.tif 000002
【実用新案登録請求の範囲】
【請求項１】
機能に支障のないところにソーラー発電装置を設ける。
【請求項２】
光源ＬＥＤを設ける。
【請求項３】
夜間点灯するようにタイマーを設ける。
以上の如く請求された夜間に照明を灯し、在所を判りやすくし、装飾的効果をよくする屋外用施設ファニチャー。
【考案の詳細な説明】
【０００１】
【産業上の利用分野】
この考案は、夜間にコードレスにて照明を灯し利用者側に在所を判りやすく装飾的効果をよくする為の屋外用施設ファニチャー。
【０００２】
【従来の技術】
従来の屋外用施設ファニチャーは、夜間に在所が判りにくく、利用者側にとって非常に不便であった。
【０００３】
【考案が解決しようとする課題点】
本案は、その欠点を除いてソーラー発電装置でコードレスにて夜間に照明を灯し、且つ設置場所が簡単に移動でき、在所を判りやすくするものである。
【０００４】
【課題を解決するための手段】
その解決手段を図面を追いながら説明すれば、
（イ）本体１の上部にソーラー発電装置を設ける。
（ロ）本体１の上部のひさし裏側にＬＥＤ照明を設ける。
【０００５】
【作  用】
本案は以上のような構造であるから、これを使用するとき、ソーラー発電装置によって照明点灯時間調節をタイマーにて設定し、夜間点灯を行うものとする。
【０００６】
【考案の効果】
したがって、従来屋外用施設ファニチャーは夜間になると利用者側は在所が判りにくく、その不便さを解決できるシステムである。
【図面の簡単な説明】
【図１】本考案の正面図
【図２】本考案の平面図
【図３】本考案の斜視図
【図４】本考案の他の実施例を示す斜視図
【符号の説明】
１は本体
２はソーラー発電装置
３はＬＥＤ照明
４は本案等の他の実施例を示す斜視図
【図１】
0003101844.tif 000003
【図２】
0003101844.tif 000004
【図３】
0003101844.tif 000005
【図４】
0003101844.tif 000006
【手続補正書】
【提出日】平成15年7月8日(2003.7.8)
【手続補正１】
【補正対象書類名】明細書
【補正対象項目名】全文
【補正方法】変更
【補正の内容】
【実用新案登録請求の範囲】
【請求項１】ゴミ箱の上部中央にソーラー発電装置を取付ける。
【請求項２】ゴミ箱上部のひさし裏側に光源ＬＥＤを取付ける。
【請求項３】ゴミ箱のひさし裏側に光源ＬＥＤを取付け、夜間点灯するようにタイマーを設置する。
以上の如く請求された夜間に照明を灯し、在所を判りやすくし、装飾的効果をよくする屋外用ゴミ箱。
【考案の詳細な説明】
【０００１】
【産業上の利用分野】
この考案は、夜間にコードレスにて照明を灯し、利用者側に在所を判りやすく装飾的効果をよくする為の屋外用ゴミ箱。
【０００２】
【従来の技術】
従来の屋外用ゴミ箱は、夜間に在所が判りにくく、利用者側にとって非常に不便であった。
【０００３】
【考案が解決しようとする課題点】
本案は、その欠点を除いてソーラー発電装置でコードレスにて夜間に照明を灯し、且つ設置場所が簡単に移動でき、在所を判りやすくするものである。
【０００４】
【課題を解決するための手段】
その解決手段を図面を追いながら説明すれば、
（イ）本体１の上部にソーラー発電装置２を取付ける。
（ロ）本体１の上部のひさし裏側にＬＥＤ照明３を取付ける。
【０００５】
【作  用】
本案は以上のような構造であるから、これを使用するとき、ソーラー発電装置によって照明点灯時間調節をタイマーにて設定し、夜間点灯を行うものとする。
【０００６】
【考案の効果】
したがって、従来屋外用ゴミ箱は夜間になると利用者側は在所が判りにくく、その不便さを解決できるシステムである。
【図面の簡単な説明】
【図１】本考案の正面図
【図２】本考案の平面図
【図３】本考案の斜視図
【符号の説明】
１は本体
２はソーラー発電装置
３はＬＥＤ照明
４はゴミ箱投入口


【手続補正２】
【補正対象書類名】図面
【補正対象項目名】全図
【補正方法】変更
【補正の内容】
【図１】
0003101844.tif 000007
【図２】
0003101844.tif 000008
【図３】
0003101844.tif 000009
【手続補正書】
【提出日】平成15年10月8日(2003.10.8)
【手続補正１】
【補正対象書類名】明細書
【補正対象項目名】全文
【補正方法】変更
【補正の内容】
【実用新案登録請求の範囲】
【請求項１】ゴミ箱本体の上部中央にソーラー発電装置を取付けた屋外用ゴミ箱。
【請求項２】ゴミ箱本体の上部のひさし裏側に光源ＬＥＤを取付けた請求項１記載の屋外用ゴミ箱。
【請求項３】ゴミ箱のひさし裏側に光源ＬＥＤを取付け、夜間点灯するようにタイマーを設置した請求項２記載の屋外用ゴミ箱。
【考案の詳細な説明】
【０００１】
【産業上の利用分野】
この考案は、夜間にコードレスにて照明を灯し、利用者側に在所を判りやすく装飾的効果をよくする為の屋外用ゴミ箱。
【０００２】
【従来の技術】
従来の屋外用ゴミ箱は、夜間に在所が判りにくく、利用者側にとって非常に不便であった。
【０００３】
【考案が解決しようとする課題点】
本案は、その欠点を除いてソーラー発電装置でコードレスにて夜間に照明を灯し、且つ設置場所が簡単に移動でき、在所を判りやすくするものである。
【０００４】
【課題を解決するための手段】
その解決手段を図面を追いながら説明すれば、この考案の屋外用ゴミ箱は、図１〜図３に示すように以下の構成を有する。
（イ）ゴミ箱本体１の上部にソーラー発電装置２を取付けてなる。
（ロ）ゴミ箱本体１の上部におけるひさし裏側にＬＥＤ照明３を取付けてなる。
【０００５】
【作用】
本案は以上のような構造であるから、これを使用するとき、ソーラー発電装置によって照明点灯時間調節をタイマーにて設定し、夜間点灯を行うものとする。
【０００６】
【考案の効果】
したがって、従来屋外用ゴミ箱は夜間になると利用者側は在所が判りにくく、その不便さを解決できるシステムである。
【図面の簡単な説明】
【図１】本考案の正面図
【図２】本考案の平面図
【図３】本考案の斜視図
【符号の説明】
１は本体
２はソーラー発電装置
３はＬＥＤ照明
４はゴミ箱投入口


【手続補正２】
【補正対象書類名】図面
【補正対象項目名】全図
【補正方法】変更
【補正の内容】
【図１】
0003101844.tif 000010
【図２】
0003101844.tif 000011
【図３】
0003101844.tif 000012
(57)【要約】      （修正有）【課題】使い方がわかりやすく低コストで誰にでも簡単にビンやペットボトルの蓋が開けられる事が出来る蓋あけゴム製シートを提供する。【解決手段】ゴム製シートを固くて開かないビンの蓋、ペットボトルのキャップ等におおい使用する。【選択図】図１
0003101846.tif 000002
【実用新案登録請求の範囲】
【請求項１】
料理時等にビン等の蓋が固くて開かない時に使用するゴム製シート
【請求項２】
ペットボトルのキャップや小口なものの蓋が固くて開かない時に使用するゴム製シート
【考案の詳細な説明】
【０００１】
【考案の属する技術分野】
本考案はゴム製品からなる蓋開けゴム製シートに関する
【０００２】
【従来の技術】
ステンレス等からできている物が知られております。
【０００３】
【考案が解決しようとする課題】
従来のものは置き場所に困り使い方もむずかしく子供には使用できず持ち歩くには不便で値段も高く使用している家庭又はこれを持っている家庭が少ないということ
【０００４】
【課題を解決するための手段】
本考案は、ゴム製シートを使用する事によって力のない子供、お年寄りにも利用でき上記課題を解決するものである
【０００５】
【考案の実施の形態】
図１に示すように従横Ａ約１８ｃｍ角１に縁２と引かけ部３にはバイヤステープを取りつけたゴム製シート
次に図２に示すようにひょうたん型Ｂ約５ｃｍ幅約３ｃｍシート１のゴム製シート図１図２とも厚さは約１ｍｍ
【０００６】
図１を固くて開かないビン等の蓋の上におおい通常通りゴム製シートの上から蓋をあけて使用する
【０００７】
図２を固くて開かないペットボトルなどの小口のキャップ下に４をはめこみシート部をキャップの上におおい通常通りキャップを開けて使用するポケットサイズ
【０００８】
本考案のゴム製シートを利用する事により今まで固くて開かなかった蓋も開ける事ができ子供・お年寄りにも使い方がわかりやすく使用でき、ゴム製なので低コストでケガをする事もなく実用性に優れたものである
【図面の簡単な説明】
【図１】本考案に係るゴム製シートの正面図
【図２】本考案に係る小口用ゴム製シートの正面図
【符号の説明】
１・・・ゴム製シート
２・・・バイヤステープ
３・・・バイヤステープつり輪
４・・・穴
Ａ・・・約１８ｃｍ
Ｂ・・・約５ｃｍ
【図１】
0003101846.tif 000003
【図２】
0003101846.tif 000004
【手続補正書】
【提出日】平成15年9月30日(2003.9.30)
【手続補正１】
【補正対象書類名】明細書
【補正対象項目名】実用新案登録請求の範囲
【補正方法】変更
【補正の内容】
【実用新案登録請求の範囲】
【請求項１】
合成樹脂又は天然ゴムからなるシートを手の平サイズに切断し装飾と紛失防止のため四方をバイヤステープ等で縫い合わせたゴム製シート。図１参照
【請求項２】
合成樹脂又は天然ゴムからなるシートをひょうたん型に切断しひょうたん型の片円に穴を開けたゴム製シート。図２参照
【手続補正書】
【提出日】平成15年12月9日(2003.12.9)
【手続補正１】
【補正対象書類名】明細書
【補正対象項目名】実用新案登録請求の範囲
【補正方法】変更
【補正の内容】
【実用新案登録請求の範囲】
【請求項１】
合成樹脂又は、天然ゴムからなるシートを、手の平サイズに切断し装飾と紛失防止のため四方をバイヤステープ等で縫い合わせたゴム製シート。
【請求項２】
合成樹脂又は天然ゴムからなるシートを、ひょうたん型に切断し、ひょうたん型の片円に穴を開けたゴム製シート。
(57)【要約】【課題】  釣竿を長時間持っていて手が疲れたり，エサを付けるときに竿を堤防に置いて傷つけたりすることがないようにする。【解決手段】パイプ椅子本体１に竿置き棒２を取り付けことによって，長時間手で持つことなく，また竿を堤防に置いて傷つけることなく簡単に置けるようにした。【選択図】  図１
0003101856.tif 000002
【実用新案登録請求の範囲】
【請求項１】
パイプ椅子の座る場所の下に，釣竿を置く棒を取り付けることにより，長時間手で持っている苦労がなくなる椅子。
【考案の詳細な説明】
【考案の詳細な説明】
【考案が解決しようとする課題】
【０００１】堤防釣りでは，パイプ椅子に座って釣る人が多くいるが，釣竿は長時間持っていなければならない。そのため手が大変疲れたり，エサを付けるときには竿を堤防に置いて付けたりしなくてはならない。また，そのときに竿を傷つけることもよくあるという問題点があった。
【課題を解決するための手段】
【０００２】長時間竿を持って，手が疲れないようにするために，パイプ椅子本体１に竿置き棒２を取り付けることによって竿を簡単に置けるようにした。
【考案の効果】
【０００３】パイプ椅子に座りながら釣竿を簡単に置くことができるため，長時間の釣りでも手が疲れることがない。また，エサを付けるときにも両手があくので付けやすい。さらに堤防に竿を置くこともないので竿が傷まないし，両手もあくので釣れないときは飲食も簡単にできる。
【図面の簡単な説明】
【図１】  パイプ椅子本体と竿置き棒を取り付けた立面図である。
【図２】  考案したパイプ椅子の使用状況をしめす側面図である。
【符号の説明】
１  パイプ椅子本体
２  竿置き棒
３  棒を取り付ける穴
４  釣り竿
【図１】
0003101856.tif 000003
【図２】
0003101856.tif 000004
(57)【要約】      （修正有）【課題】視覚的高級感をもたらす、被せ蓋付き高級美粧包装函を提供する。【解決手段】四角形状方形に構成された底部面１と、該底部面１の後辺に後側面２を介して連設されたと該四角形状底部面１の寸法より若干大きい被せ蓋を形成する二重蓋フラップＢ 設ける。該二重蓋フラップＢの内側に係り止め差込部Ａを形成する切り込みを入れ形成し、該係り止め差込部Ａに三本の罫線(k.k'.k”)を刻設する事で底部面１から形成する身部分より若干大きな被せ蓋を形成して尚且つ、係り止め差込部Ａを底部面１と前外側面３ とに連設された罫線上の、係り止め用差込孔部４に差し込む事で蓋が開かない様にする事が出来る、被せ蓋付き高級美粧包装函を提供する事が出来る。【選択図】図２
0003101855.tif 000002
【実用新案登録請求の範囲】
【請求項１】
医薬品や化粧品などの包装に用いられる、厚紙、Ｅ段、Ｂ段などを素材としてなる高級美粧包装函であって、四角形状方形に構成された底部面（1）と、該底部面（1）と後側面(2)を介して連設された、該底部面（1）の寸法より若干大きい被せ蓋部分（C）有する二重蓋フラップ（B）設ける。該二重蓋フラップ（B）の内側に、係り止め差込部（A）を形成する切り込みを入れ、該係り止め差込部（A）に三本の罫線(k.k'.k”)を刻設する。又、前記底部面（1）と前外側面(3) とに連設された罫線上に、係り止め用差込孔部(4)を設け、二重蓋フラップ（B）に形成する係り止め差込部（A）に三本の罫線(k.k'.k”)を刻設することにより、組み立て成型時に四角形状底部面（1）の寸法より若干大きい被せ蓋部分（C）を有する二重蓋フラップ（B）を設けたことを特徴とする高級美粧包装函。
【考案の詳細な説明】
【０００１】
【考案の属する技術分野】
本考案は視覚的高級感をもたらす、被せ蓋付き高級美粧包装函に関するものである。
【０００２】
【従来の技術】
従来、一枚の厚紙、Ｅ段、Ｂ段などを素材としてなる高級美粧包装函であって、四角形状方形に構成された底部面（1'）と、該底部面（1'）と後側面(2')を介して連設された、該底部面（1'）の同寸法の被せ蓋を形成する二重蓋フラップ（B'）設ける。該二重蓋フラップ（B'）の内側と外側とを連結する罫線上に、係り止め差込部（A'）を形成する切り込みを入れて有り、又、前記底部面（1）と前外側面(3) とに連設された罫線上に、係り止め用差込孔部(4)を設け、二重蓋フラップ（B'）の内側と外側とを連結する罫線上に形成する係り止め差込部（A'）を差し込む為に、四角形状底部面（1'）と同寸法の二重蓋フラップ美粧包装函であった。
【０００３】
【考案が解決しようとする課題】
従来の四角形状方形に構成された底部面（1'）と、該底部面（1'）の後辺に後側面(2')に介して連設された外蓋フラップ（B'）の内側と外側とを連結する罫線上に形成する、二本の罫線(j、j')を刻設された係り止め差込部（A'） を有する二重蓋フラップ美粧包装函は、四角形状方形に構成された底部面（1'）より、二重蓋フラップ（B'）を大きくすることは、前記した係り止め差込部（A'）と前部額縁面(4')上の係り止め用差込孔部(5')との隙間が生じるので、困難であった。
【０００４】
本考案は、従来の問題点を解決しようとするものであり、その目的とするところは、四角形状方形に構成された底部面(1)より、二重蓋フラップ（B）を大きくすることで、視覚的高級感をもたらす、被せ蓋付き高級美粧包装函を提供することである。
【０００５】
【課題を解決するための手段】
前述された目的を達成するために、本考案による前記二重蓋フラップ（B）は、後方側面(2)を介して連設された外蓋フラップ（B）内側に係り止め差込部（A）を形成する切り込みを入れ形成し、該係り止め差込部（A）に三本の罫線(k.k'.k”) を刻設することで、四角形状方形に構成された底部面( 1)より、若干大きい被せ蓋部分（C）有する二重蓋フラップ（B）を形成できる。
【０００６】
【考案の実施の形態】
本考案は、上述の様に四角形状方形に構成された底部面（1）と、該底部面（1）の後辺側面(2)を介して連設された該四角形状底板（1）の寸法より若干大きい被せ蓋部分(C)を有する二重蓋フラップ（B）設ける。該二重蓋フラップ（B）は、後方側面(2)を介して連設された外蓋フラップ（B）の内側に係り止め差込部（A）を形成する切り込みを入れ形成し、該係り止め差込部（A）に三本の罫線(k.k'.k”)を刻設する。又、前記底部面（1）と前外側面(3) とに連設された罫線上に、係り止め用差込孔部(5)を設け、二重蓋フラップ（B）に形成する係り止め差込部（A）に三本の罫線(k.k'.k”)を刻設することにより、組み立て成型時に四角形状底部面（1）の寸法より若干大きい被せ蓋部分(C)を有する二重蓋フラップ（B）を設けたことを特徴とする高級美粧包装函。
【図面の簡単な説明】
【図１】全体の基本組み立て図
【図２】本考案による平面図
【図３】本考案による組み立て図
【図４】従来による組み立て図
【符号の説明】
1    底部面
2    後側面
3    前側面
4    係り止め用差込孔部
A   係り止め差込部
B   二重蓋フラップ
C   底部面の寸法より若干大きい被せ蓋部分
k.k'.k” 係り止め差込部に刻印された罫線む
1'    底部面
2'    後側面
3'    前側面
4'    係り止め用差込孔部
A'   係り止め差込部
B'   二重蓋フラップ
j、j' 係り止め差込部に刻印された罫線む
【図１】
0003101855.tif 000003
【図２】
0003101855.tif 000004
【図３】
0003101855.tif 000005
【図４】
0003101855.tif 000006
【手続補正書】
【提出日】平成15年9月12日(2003.9.12)
【手続補正１】
【補正対象書類名】明細書
【補正対象項目名】実用新案登録請求の範囲
【補正方法】変更
【補正の内容】
【実用新案登録請求の範囲】
【請求項１】
医薬品や化粧品などの包装に用いられる、厚紙、Ｅ段、Ｂ段などを素材としてなる高級美粧包装函であって、四角形状方形に構成された底部面（1）と、該底部面（1）と後側面(2)を介して連設された、該底部面（1）の寸法より若干大きい被せ蓋部分（C）有する二重蓋フラップ（B）設けた場合に、該二重蓋フラップ（B）の内側に、係り止め差込部（A）を形成する切り込みを入れ、該係り止め差込部（A）に三本の罫線(k.k’.k”)を刻設して、前記底部面（1）と前外側面(3) とに連設された罫線上の、係り止め用差込孔部(4)に係り止め差込部(A)を差し込む事で、組み立て成形を出来る事を特徴とする高級美粧包装函。
(57)【要約】［課題］  買い物袋を楽に持つための安定性と強度と便利さを兼ね備えた握り棒を造ること。［解決手段］  従来のつり下げ用のフックのかわりに丸い棒状の物体を用いて握った場合の上部３箇所（中央部と両サイド）に切り込みを施しその中央部もしくは両サイドに買い物袋の取っ手をはめ込むことにより従来にはなかった安定性と強度と便利さを兼ね備えたものとした。【選択図】        図１
0003101853.tif 000002
【実用新案登録請求の範囲】
【請求項１】
長さ約１２ｃｍ直径約２ｃｍから３ｃｍ程の丸い棒状の物体（仮に木材とする）の横長とした場合の上部３箇所（中央と両側）に切り込みを入れその底を丸く削った握り棒にビニール製の買い物袋の取っ手をひっかけて片手で握っても手の皮膚や筋肉に負荷がかからないようにするもので中央部へすっぽり買い物袋の取っ手を入れてその中央部下側を手の中指と薬指とではさむようにして持つか荷物が大きくて買い物袋の取っ手が開いた状態の場合等に両サイドの切り込みに買い物袋の取っ手の両方を片方ずつはめ込み固定した状態で持ち運ぶものである。
【請求項２】
材質については棒状の軽くて強度のあるものならば特にこだわる必要もないといえるが軽くて滑らず加工しやすい点では木材が適していると言える。しかし、大量生産する場合には塩化ビニール樹脂のようなプラスチック類で型に流し造るほうが安価に出来ると思われるがこのような場合は握り棒表面に滑り止め加工を施すことが必要と考えられる。
【考案の詳細な説明】
【考案の詳細な説明】
［考案の属する技術分野］
【０００１】  本考案は、買い物袋のつり下げ用具に関する。        ［従来の技術］
【０００２】  従来のつり下げ用具としてはプラスチック製の平らな取っ手の両端にフックを設けたものが一般的である。しかしこの用具はダンボール等をひもで縛った場合にひもに引っ掛けて持ち運ぶように造られている。        ［考案が解決しようとする課題］
【０００３】  従来の技術では買い物袋をつり下げるものとして適しておらず強度も弱く持った場合の安定性に欠けている面があり、また手のひらへの圧迫感が強かった。        ［課題を解決するための手段］
【０００４】  上記目的を達成するために、本考案においては、つり下げ用のプラスチックのかわりに丸い棒状のものを用いる。
【０００５】  さらに、買い物袋を引っ掛ける箇所を中央部と両サイドに設置する。        ［考案の実施の形態］
【０００６】  考案の実施の形態を実施例にもとづき図面を参照して説明する。  図１において、握り棒は、長さ約１２ｃｍで直径約２ｃｍから３ｃｍの丸い棒状をしておりその上部３箇所に切り込みを施したものである。
【０００７】  そして、切り込み部１及び３については両端から約１５ｍｍの位置から各々外側斜め４５度方向に幅約３．５ｍｍから５ｍｍの溝を深さ約１０ｍｍ切り込んだものである。
【０００８】  さらに、切り込み部２については中央部に幅約５ｍｍから６ｍｍの溝を垂直に深さ約１０ｍｍ切り込んだものである。
【０００９】  まず、買い物袋の取っ手を中央の切り込み部に差し込み握り棒中央部の取っ手の下側を手のひらの中指と薬指の間にはさみこむようにして持つ握り棒である。
【００１０】  つぎに、買い物袋の取っ手が開いた状態の場合は両側の切り込み部に各々の取ってを差し込みぶら下げる握り棒である。        ［考案の効果］
【００１１】  本考案は、以上説明したように構成されているので、以下に記載されるような効果を奏する。
【００１２】  つり下げ用のプラスチックのフックの代わりに丸い棒状の物体を用いることで安定性と強度が向上しより持ち易いものとなる。
【００１３】  買い物袋を引っ掛ける箇所を中央部と両サイドに施すことにより使い易さが向上する。
【００１４】  特に雨の日などは買い物袋が開口状態では雨水が入り易いので本件の握り棒中央部にはさみ込むようにして持つことが有効である。
【００１５】  なお、本考案の握り棒にぶら下げる買い物袋の数は複数可能となる。
【図面の簡単な説明】
【図１】握り棒に切り込みを施した平面図である。
【図２】握り棒に切り込みを施した立面図である。
【図３】握り棒の右側面図である。
【図１】
0003101853.tif 000003
【図２】
0003101853.tif 000004
【図３】
0003101853.tif 000005
【手続補正書】
【提出日】平成15年10月15日(2003.10.15)
【手続補正１】
【補正対象書類名】実用新案登録請求の範囲
【補正対象項目名】全文
【補正方法】変更
【補正の内容】
【実用新案登録請求の範囲】
【請求項１】
長さ約１２ｃｍ直径約２ｃｍから３ｃｍ程の丸い棒状の木材を横にし、その上部中央及び両側に切り込みを入れて底を丸く削りその切り込みに買い物袋の取っ手をひっかけて持ち運ぶための握り棒である。
【請求項２】
材質については棒状の軽くて強度のあるものならば特にこだわる必要もないといえるが大量生産する場合には塩化ビニール樹脂のようなプラスチック類で型に流し造るほうが安価に出来ると思われるがこのような場合は握り棒表面に滑り止め加工を施すことが必要と考えられる。
【手続補正書】
【提出日】平成15年12月25日(2003.12.25)
【手続補正１】
【補正対象書類名】実用新案登録請求の範囲
【補正対象項目名】全文
【補正方法】変更
【補正の内容】
【実用新案登録請求の範囲】
【請求項１】
長さ約１２ｃｍ直径約２ｃｍから３ｃｍ程の丸い棒状の木材を横にし、その上部中央及び両側に切り込みを入れて底を丸く削りその切り込みに買い物袋の取っ手をひっかけて持ち運ぶための握り棒。
【請求項２】
材質を塩化ビニール樹脂のようなプラスチック類で型に流し造り、握り棒表面に滑り止め加工を施すことを特徴とする請求項１記載の握り棒。
(57)【要約】      （修正有）【課題】太陽熱を体験させるための簡易な組立て教材を提供する。【解決手段】1枚のパネル構造により、パネル状反射板による凹面反射鏡の形成及び、パネル部分の接合部を挿入固定する構造、及び少なくとも一面を鏡面処理した反射板を特徴とし、また、反射板に切取線及び切込線、折り目線を印刷することにより、切取及び組立てを容易にした。【効果】小学校から中学校までの教材として容易に、かつ確実に組立てができると共に、原理を実践的に確かめることができ、熱量測定を体験できる効果がある。また、複数の組立て用の素材を併用せずに1枚のパネル構造による簡易な組立てができる。【選択図】図2
0003101852.tif 000002
【実用新案登録請求の範囲】
【請求項１】
凹面反射鏡の成形板及びすくなくとも一面を鏡面処理した反射板で1枚のパネル構造による組立てが容易な太陽光の集熱教材の制作方法。
【考案の詳細な説明】
【技術分野】
【０００１】
本考案は、太陽光の集熱教材に関するものであり、1枚の反射板から組立てが容易な凹面反射鏡を成形し、太陽光の集熱教材を提供することにある。
【背景技術】
【０００２】
従来、太陽光の集光によって発熱することは知られており、分解収納できる太陽集熱器も知られていた。
【０００３】
【特許文献１】特開平４―３３２３４７号公報
【考案の開示】
【考案が解決しようとする課題】
【０００４】
しかしながら、組立て、解体収納が簡易でなく、複数の種類の素材を併用するものが多く、組立て教材としては不向きとなる問題点があった。
【課題を解決するための手段】
【０００５】
本考案は、1枚のパネル構造により凹面反射鏡を形成して、パネル部分の接合部を固定する構造とすることにより、太陽光の集熱教材の完成を見ることに成功し、前記従来の問題点を解決したのである。
【考案の効果】
【０００６】
また、反射板に切り抜き線と折り目線を印刷することにより、切抜きを容易にするとともに、折り目線により一定の効果（形状精度）を期待できるように形成することができる。
【０００７】
本考案は初心者でも容易に組立て、太陽光を利用し、簡単な器具により集熱できるようにした集熱具の教材である。
【０００８】
本考案の目的は、組立てにより太陽光線から熱を生成できることを体験させることにあるが、これを調理具として使用することを妨げるものではない。
【考案を実施するための最良の形態】
【０００９】
反射板の芯材の表面にアルミニウム箔を層着して形成した反射板の一面へ、パネル組立て用の切抜線および折り目線を印刷したことを特徴とする。
【００１０】
反射板から切抜いたパネル状反射板により凹面反射鏡を形成した太陽光の集熱具であり、反射板に切抜き線および折り目線を印刷したことを特徴とする太陽光の集熱教材の反射板である。
【実施例１】
【００１１】
本考案の反射板の実施例を図１に基づいて説明する。心材ベース板１のすくなくとも１面に同一形状のアルミニウム箔２を層着して反射板３を形成し、前記反射板３にパネル状反射板の切取り線５とパネル状反射板の底面４ａの内周に差込パネル７ａを差し込むための切込線なる７を印刷し、折り目線８を印刷して太陽光の集熱教材用のパネル状反射板４を構成した。
【００１２】
前記反射板３は、切取り線５に沿って切り取り、切込線７を切込むことにより、容易に凹面反射鏡の材料４を得ることが出来る。
【００１３】
反射板４を切取線５に沿って切り取り、切り離し面６を切り離すと共に、切込線７に切込を入れて、パネル状反射板４を形成し、凹面を形成するための折り目線８を各々谷折にし、ついで切込んだ７ａを各々差し込むための切込線７に挿入し、ついで切込んだ９を反射鏡の底面４ａの裏側に夫々添着して凹面反射鏡を構成し、中央部へ吸熱体を設置すれば、この考案の周熱具１０が完成する。
【産業上の利用可能性】
【００１４】
この考案によれば、小学校から中学校までの教材として容易に、かつ確実に作ることができると共に、太陽光線からの集熱と、熱量測定を体験できる効果がある。また、地球環境教育の一助となることができる。また反射板角度は太陽高度の低い冬季に特に有効に集熱できる構造となる。
【００１５】
また、教材ではあるが、実用上の体験（例えばゆで卵を作る）もできるとともに、燃焼資源の欠如（例えば災害時）時にも熱源としての役割を果たす可能性もあるので教育効果も大きい。
【図面の簡単な説明】
【００１６】
【図１】この考案の反射板の製造工程を示す説明図である。
【図２】この考案の反射板の制作工程を示す説明図である。
【符号の説明】
【００１７】
１    芯材ベース板
２    アルミニウム箔
３    反射板
４    パネル状反射板
４ａ  パネル状反射板底面
５    切取線
６    切り離し面
７    切込線
８    折り目線
【図１】
0003101852.tif 000003
【図２】
0003101852.tif 000004
【手続補正書】
【提出日】平成15年10月30日(2003.10.30)
【手続補正１】
【補正対象書類名】実用新案登録請求の範囲
【補正対象項目名】請求項１
【補正方法】変更
【補正の内容】
【請求項１】
凹面反射鏡の成形板及びすくなくとも一面を鏡面処理した反射板で１枚のパネル構造による
組立てが容易な太陽光の集熱教材。
【手続補正書】
【提出日】平成16年1月20日(2004.1.20)
【手続補正１】
【補正対象書類名】実用新案登録請求の範囲
【補正対象項目名】請求項１
【補正方法】変更
【補正の内容】
【請求項１】
凹面反射鏡が容易に組立てられるように少なくとも一面を鏡面処理した反射板に切り抜き線と折り目線を印刷した１枚のパネル構造からなる太陽光の集熱教材。
(57)【要約】【課題】  本案の図柄と色彩をカラス他鳥獣が生理的に嫌っている事を利用し、果樹園、農園、墓地、ゴミ捨て場等に設置し、被害防止に役立たせるものである。【解決手段】  （１）極薄いテープ等に図柄と色彩を施し、微風でも揺れ動く事により、一層の効果を高める事ができる。（２）特にカラスは高い柱、電柱等に止まる習性が有り図３に示す材質等で円筒形の帽子状のものを作り、その最上部に円錐形の風車を取り付ける事によりカラス他鳥獣の飛来を防ぐ事が出来る。【選択図】    図３  
0003101851.tif 000002
【実用新案登録請求の範囲】
【請求項１】
ビニール、ポリエチレン、ゴム、紙等の柔らかい材質から成る極薄いテープに図柄と色彩を施したカラスや他鳥獣の被害対策用具（図１、図２参照）。木材、金属板、プラスチック板等の材質に上記と同様の図柄と色彩を施したカラスや鳥獣等の被害防止用具。鉄柱、木柱、電柱等に本考案の図柄と色彩を施した上記の材質を帽子状に作成し、その最上部に円錐形の風車を取り付けた飛来防止用具（図３参照）。図柄は市松模様、縞模様他に三角形、水玉模様等を使用する。色彩は黒色、黄色を基準とし他に金、銀、赤、青等の色を組合わす。
【考案の詳細な説明】
【技術分野】
【０００１】
特にカラスは本考案の色彩と図柄を生理的に嫌っている事を利用して微風でも揺れ動く薄いテープを使用する事によって効果を高めた
【背景技術】
【０００２】
特許文献１が示す鳥獣対策とは主に鳩を対象としたものであり、カラス対策ではない。又、色彩は赤色を基調とし（００１２参照）筒状の形態で吹流しで有り、蛇を想定している。只縞模様とは蛇のウロコに類似した物である。従って本考案とは形状並びに色彩が根本的に異なっている。
【特許文献１】特開平９−１９１８１３
【考案の開示】
【考案が解決しようとする課題】
【０００３】
特に果樹園、農園、墓地、ゴミ捨て場等に施してカラスや他鳥獣による被害は甚大で有る。又高圧電線柱にカラスが営巣して多大な被害を与えている、従って本考案用具を適切に設置する事によってカラスや他鳥獣の被害を最小限度に防止する事が出来る。
【課題を解決するための手段】
【０００４】
以上の課題に解決する為に図１で示す図柄と色彩を組合せ極薄い材質（ビニール、ポリエチレン、ゴム、紙等の柔らかい材質）をテープに施し微風でも揺れ動く事により、効果を増す事が出来る。図２に示す様に縞模様の中央に自然光より強く光る銀金赤等の色彩を組合せる事によりカラスや他鳥獣の視力に異状をきたす事が出来る。
【考案の効果】
【０００５】
本考案の図柄と色彩を上記材質から成っているテープ等に施し、微風でも揺れ動く事により効果を高める事ができる。
【考案を実施するための最良の形態】
【０００６】
図１、図２、図３に示す。
【実施例】
【０００７】
上記の様にカラスや他鳥獣等が本考案の図柄や色彩を生理的に嫌っている様である。これは長期実験の結果明らかである。従って、本考案用具を果樹園、農園、墓地、ゴミ捨て場等に設置する事により、カラスや他鳥獣の飛来を防ぎ被害防止に役立つ事が出来る。
【図面の簡単な説明】
【０００８】
【図１】テープの平面図
【図２】テープの平面図
【図３】円錐形風車及び帽子状の立面図
【符号の説明】
【０００９】
１  ヒモ
２  黒色
３  黄色
４  銀色
５  赤色
６  巾（限定しない）
７  長さ（限定しない）
８  ナット
９  ネジ棒
１０  羽根
１１  柱
１２  固定するボール状のもの
【図１】
0003101851.tif 000003
【図２】
0003101851.tif 000004
【図３】
0003101851.tif 000005
【手続補正書】
【提出日】平成15年9月30日(2003.9.30)
【手続補正１】
【補正対象書類名】実用新案登録請求の範囲
【補正対象項目名】請求項１
【補正方法】変更
【補正の内容】
【請求項１】
ビニ−ル、ポリェチレン、ゴム,紙等の柔らかい材質からなるテ−プ及び木材、金属板、プラスチック板等の材質に市松模様、縞模様、水玉模様等で、色彩は、黒色、黄色、赤色、銀色等の構成からなる、カラスや鳥獣類の被害防止対策用具。
【手続補正３】
【補正対象書類名】明細書
【補正対象項目名】０００７
【補正方法】変更
【補正の内容】
【０００７】
図１に示すテープを竹竿に結びつけ適切な場所に設置し、微風でも揺れ動くことにより効果を高める。また同様の図柄と色彩を施したものを帽子状に作成し、最上部に風車を取り付けたものを木柱や電柱等の先端に取り付け、風車が回ることにより鳥獣等の飛来を防止することができる。本考案用具はカラスや他鳥獣等が生理的に嫌っている様であり、果樹園・農園・ごみ捨て場等に設置することにより被害防止に役立つことができる。
【手続補正４】
【補正対象書類名】明細書
【補正対象項目名】０００８
【補正方法】変更
【補正の内容】
【０００８】
【図１】テ−プ平面図
【図２】実施例図１
【図３】実施例図２
【手続補正５】
【補正対象書類名】明細書
【補正対象項目名】０００９
【補正方法】変更
【補正の内容】
【０００９】
１  ひも
２  黒色
３  黄色
４  竿
５  取り付けバンド
６  固定ボール
７  円錐形風車
【手続補正６】
【補正対象書類名】図面
【補正対象項目名】全図
【補正方法】変更
【補正の内容】
【図１】
0003101851.tif 000006
【図２】
0003101851.tif 000007
【図３】
0003101851.tif 000008
【手続補正書】
【提出日】平成15年12月8日(2003.12.8)
【手続補正１】
【補正対象書類名】実用新案登録請求の範囲
【補正対象項目名】請求項１
【補正方法】変更
【補正の内容】
【請求項１】
ビニール、ポリエチレン、ゴム、紙等の柔らかい材質から成るテープ等に市松模様・縞模様・水玉模様等の図柄を描き、黒色、黄色又は赤、銀色等の色彩を施したものである。以上の構成から成るカラスや鳥獣類の被害防止用具。
【手続補正３】
【補正対象書類名】明細書
【補正対象項目名】０００７
【補正方法】変更
【補正の内容】
【０００７】図１に示すテープを竹竿に結びつけ適切な場所に設置し、微風でも揺れ動くことにより効果を高める。本考案用具はカラスや他鳥獣等が生理的に嫌っている様であり、果樹園・農園・ゴミ捨て場等に設置することにより被害防止に役立つことができる。
【手続補正４】
【補正対象書類名】明細書
【補正対象項目名】０００８
【補正方法】変更
【補正の内容】
【０００８】
【図１】テープの平面図
【図２】実施例図１
【手続補正５】
【補正対象書類名】明細書
【補正対象項目名】０００９
【補正方法】変更
【補正の内容】
【０００９】１  ひも
２  黒色
３  黄色
４  竿
【手続補正６】
【補正対象書類名】図面
【補正対象項目名】全図
【補正方法】変更
【補正の内容】
【図１】
0003101851.tif 000009
【図２】
0003101851.tif 000010
(57)【要約】      （修正有）【課題】この考案は、掃除機先端部の吸込み口を開閉可能にした、掃除機用多機能吸い口に関するものである。【解決手段】止め軸２にコイルバネなどを付け、吸込み口８が開いた状態にし、開閉時に吸込みパイプ４と外側パイプ１の邪魔にならない様に幅を合わせて、吸込み口８を切り込む。吸込みパイプ４と吸込み口８に隙間が出来ない様にジャバラ５を設ける。アーム軸と先端用止め軸に先端開閉用棒軸と開閉扉３の端をつないだ状態に取り付ける。これを吸込み口８の両側面に付ける。【選択図】図２
0003101857.tif 000002
【実用新案登録請求の範囲】
【請求項１】
吸込み口を開閉可能にした掃除機用吸い口
【考案の詳細な説明】
【考案の詳細な説明】
【産業上の利用分野】
【０００１】この考案は、掃除機先端部の吸込み口を開閉可能にした、掃除機用多機能吸い口に関するものである。
【背景技術】
【０００２】従来、取り替え用の吸込み口はあったが、掃除の途中に取り替えるのが面倒で、しかも収納する時にまとまらずに不便であった。
【考案が解決しようとする課題点】
【０００３】本案は、その欠点を除いて、取り替えの面倒が無く収納もきれいにまとまる、便利でしかも興味ある掃除機用吸込み口を開発しようとするものである。
【課題を解決するための手段】
【０００４】今、その解決手段を図面に沿いながら説明すれば、
（イ）止め軸２にコイルバネ等を付け、吸込み口８が開いた状態にし、
（ロ）開閉時に、吸込みパイプ４と外側パイプ１の邪魔にならない様に、幅を合わせて吸込み口８を切り込む。
（ハ）吸込みパイプ４と吸込み口８に隙間が出来ない様にジャバラを設ける。
（ニ）アーム軸９と先端用止め軸６に先端開閉用棒軸７と開閉扉３の端をつないだ状態に取り付ける。これを吸込み口８の両側面に付ける。
【作用】
【０００５】本案は、以上の様な構造であるから、これを使用する時は、図１の様に開いた状態で従来通りに使用し、隅などを掃除する時は外側パイプ１を下げて図２の様にする。その際、アーム軸９は動かない様にし、アーム軸９に取り付けた先端用止め軸６と止め軸２を離しているので、吸込み口８を閉じると、先端開閉用棒軸７で開閉扉３を引っぱり、開いた状態になる。
【実施例】
【０００６】（イ）なお、本考案の実施に当たって次の如きことが出来る。
（ロ）先端開閉用棒軸７を薄い金属又はプラスチックの板にする。
（ハ）図４の様に、本体に差し込み用パイプを設けると収納がまとまる。その際、吸込みパイプの長さとジャバラの長さをほぼ同じにすると、ピンと張った状態になる。
（ニ）本体の差し込み口が動く様にすると、横に寝かせることが出来る。
【考案の効果】
【０００７】従って、広い場所も隅もワンタッチで掃除が出来てかつ、収納もきれいにまとまり、興味深い掃除機用吸口部である。
【図面の簡単な説明】
【図１】      本考案の開いた正面図
【図２】      本考案の閉じた正面図
【図３】      本考案の吸込み口の断面図
【図４】      本考案の実施例を示す斜視図
【符号の説明】
１、外側パイプ
２、止め軸
３、開閉扉
４、吸込みパイプ
５、ジャバラ
６、先端用止め軸
７、先端開閉用棒軸
８、吸込み口
９、アーム軸
【図１】
0003101857.tif 000003
【図２】
0003101857.tif 000004
【図３】
0003101857.tif 000005
【図４】
0003101857.tif 000006
【手続補正書】
【提出日】平成15年12月9日(2003.12.9)
【手続補正１】
【補正対象書類名】実用新案登録請求の範囲
【補正対象項目名】全文
【補正方法】変更
【補正の内容】
【実用新案登録請求の範囲】
【請求項１】
吸込みパイプ４に止め軸２で止めた吸込み口８を左右１対もうけ、コイルバネ等を取り付け左右開いた状態に付清し、吸込みパイプ４に対して外側パイプ１を下げる事により、左右吸込み口８を強制的に閉じ、上げると開く様にした掃除機用吸込み口
(57)【要約】      （修正有）【課題】手さげカバンおよびバックの取っ手に簡単に装着することができる小型ハンガーを提供する。【解決手段】接続金具４によりカバン取手部９に装着された上部固定部２は蝶番５により開閉可能な下部３と共にハンガー構成とする。【選択図】図１
0003101858.tif 000002
【実用新案登録請求の範囲】
【請求項１】
収縮する２本の棒をベースに、手提バッグの取手部と連結するコンパクト・ハンガー。
２対の棒の間にスーツ・ジャケット等を挟み込むかたちの携帯ハンガーである。
【考案の詳細な説明】
【技術分野】
【０００１】本考案は、手さげカバンおよびバッグ取っ手部に収縮する小型ハンガーを装着するものである。
【背景技術】
【０００２】手さげカバンおよびバッグを持つ際、春夏等、着ている上着などを脱ぎ、皺にならず持ち運び出来るようにするためのもの。
【考案の開示】
【考案の解決しようとする課題】
【０００３】夏の暑いときなど、汗で湿った腕に持つと脱いだ上着が邪魔に感じることが多く、その上着（スーツ等含む）をどう快適に持ち運ぶか考慮した。
【課題を解決するための手段】
【０００４】同考案は、０００３の課題を解決させるための手さげカバンおよびバッグに直接装着するハンガーである。出来るだけ普段邪魔にならないように収縮型にし、使用しない際は小さくなるようにする。また取り外しも可能にし、別にしまうか、カバン、バッグの中に携帯しておくことも可能とする。
【考案の効果】
【０００５】同考案品は、一般的にないものであった。つまり、カバンやバッグに装着して使用するハンガーは、市場においてなかったものである。上記に記載するように、会社員など気候が暑い際に、どうしても外出先で上着を持って歩かなくてはならない場合（外出しなければならない場合）、手で持ち運ぶときに非常に邪魔になり、かつ皺になり易いものである。そうした際、非常にスマートに持ち運びが出来るハンガーとして便利である。
【考案を実施するための最良の状態】
【０００６】外出する際、上着を持って行かなければならない場合、カバン、バッグの取手付け根部分に装着されている同考案品のハンガーを収縮されている状態から伸ばし、一方の金具を外すことによって挟み込み式のハンガーを開き、そして上着（スーツ等）を挟んで、再び金具を引っ掛け、しっかりとホールド（固定）させる。上着を改めて着る際には同じ動作を逆に繰り返すことにより、ハンガーから取り外す。
【実施例】
【０００７】以下、添付図面に従って一実例を説明する。図１はハンガーのイメージ図である。【０００８】同考案は▲１▼▲２▼▲３▼によって構成される、耐久性プラスティック等適宜素材にて組み合わされたハンガーである。【０００９】▲４▼部のカバン、バックとの接合部は、作り付けの金具もあるが、汎用性を考慮し、取り外し可能な金具もある（形状に関しては一定でない）。また、ハンガー単体の製品として、可動式のバインディング（挟み込み）式のタイプも考慮できる。【００１０】▲５▼はハンガーの蝶番部である。カバン・バックに直接固定されるハンガー本体▲２▼と可動される▲１▼と、下部の▲３▼のハンガー上下部を接続する部分である。【００１１】▲６▼はハンガーの上下部をジャケットもしくは上着を挟んだ際、それを固定するための金具である。なお、▲１▼▲２▼と▲３▼の隙間に関しては、ジャケット、上着の厚さを考慮しないと、却って挟むことによって皺が出来てしまうので、比較的余裕を持たせる、もしくは隙間を調節できるようにする仕組みが必要である。【００１２】▲７▼はハンガー下部の収縮部である。上部の▲１▼▲２▼同様、通常はコンパクトにハンガーを収納もしくは携帯性をもたせるため、通常使用する以外に小型化するための機能である。【００１３】▲８▼はハンガー本体下部と挟み込んだ服類の滑り止め効果をもたらす部分である。同ハンガーの素材として、その素材に滑り止め効果があるものを使用することもあるが、特殊な耐用性ゴムのような表面に仕上げることも考慮したい。また、ハンガー上部にも同じような素材を使用することも検討できる。【００１４】▲９▼は同ハンガーを掛けるカバン、バックの取手部、▲１０▼はカバン本体である。図ではハード・タイプであるが、左右２点止めもしくは大きな一点止めのカバン、バックなら、それぞれの形状に応じてハンガーと接続を試みることができるようにする。▲４▼を左右にスライドさせられるようにすれば、さまざまなバッグ、カバン（但しそれらの形状に合わせられるようにする必要性はある）に適応できるタイプのハンガーを製作することは出来る。【００１５】同ハンガーは、このように未使用時にはコンパクトに収納、もしくは小型化でき、使用時に掲げる洋服によって使いやすいサイズに広げることが出来る。目的は上述のように、上着、ジャケットを脱いで、邪魔にならないようにカバン、バッグに掲げられるようにした、機能的な携帯ハンガーとして使用するためのものである。
【図面の簡単な説明】
【００１６】
【図１】同ハンガーを使用した際のイメージ図である。
【図２】同ハンガーの側面、上部、下部、両先端部の展開図である。
【符号の説明】
【００１７】▲１▼ハンガー上部可動部
▲２▼ハンガー上部固定部
▲３▼ハンガー下部
▲４▼カバン取手部接続金具
▲５▼ハンガー蝶番
▲６▼ハンガー固定金具
▲７▼ハンガー下部スライド部
▲８▼ハンガー滑り止め
▲９▼カバン取手部
▲１０▼カバン、バック
▲１１▼ジャケット、上着
【図１】
0003101858.tif 000003
【図２】
0003101858.tif 000004
【手続補正書】
【提出日】平成15年12月11日(2003.12.11)
【手続補正１】
【補正対象書類名】実用新案登録請求の範囲
【補正対象項目名】全文
【補正方法】変更
【補正の内容】
【実用新案登録請求の範囲】
【請求項１】
スーツ・ジャケット等用のコンパクト・ハンガーであって、
（１）上部分と下部分で構成され、その両者によってスーツ、ジャケットを挟み込むものである。
（２）下部分は挟み込んだ後に固定される仕組みを有する。
（３）上部分は手さげバック等の取っ手部に対する装着部を有する。
以上のことを特徴とするコンパクト・ハンガー。
(57)【要約】【課題】広告効果が高い薬袋を提供する。【解決手段】薬袋が、袋本体１の裏面に１乃至３１の日付表示２と広告表示３とを有している。薬袋は長方形状の紙袋から成り、日付表示２は１から１５までが裏面の右の縁４に沿って、１６から３１までが左の縁５に沿って印刷されている。その左右の日付表示２の間に、四角形の枠６が印刷されている。枠６は、上部が切れて、「月」の表示７が印刷されている。「月」の表示７には、何月か書き込むことができる。枠６の内側は、広告の印刷スペースとなっており、広告表示３が印刷されている。【選択図】図１
0003101871.tif 000002
【実用新案登録請求の範囲】
【請求項１】
袋本体の裏面に１乃至３１の日付表示と広告表示とを有することを特徴とする薬袋。
【考案の詳細な説明】
【技術分野】
【０００１】
本考案は、病院または薬局で薬を収容するのに用いられる薬袋に関する。
【背景技術】
【０００２】
従来の薬袋として、裏面に広告を印刷したものがある（例えば、特許文献１参照）。
【０００３】
【特許文献１】特開２００３−３４３３５号公報
【考案の開示】
【考案が解決しようとする課題】
【０００４】
しかしながら、特許文献１に記載の薬袋は、薬袋の裏面を見ないと広告を目にしないため、薬袋を持ち帰った後は広告効果が低いという課題があった。
【０００５】
本考案は、このような従来の課題に着目してなされたもので、広告効果が高い薬袋を提供することを目的とする。
【課題を解決するための手段】
【０００６】
上記目的を達成するために、本考案に係る薬袋は、袋本体の裏面に１乃至３１の日付表示と広告表示とを有することを特徴とする。
【０００７】
本考案に係る薬袋は、袋本体の裏面に１乃至３１の日付表示を有するため、袋内にいつまでの分の薬が入っているか、予めその日付に印を付けておくことにより、容易に確認することができる。また、薬を飲んだ日付をチェックすることにより、薬の飲み忘れを防止することができる。それらの日付を確認したりチェックしたりするたびに広告表示を目にすることになるため、広告効果が高くなる。
なお、袋本体の裏面には、日付表示とともに月の表示があってもよい。
【考案の効果】
【０００８】
本考案によれば、広告効果が高い薬袋を提供することができる。
【考案を実施するための最良の形態】
【０００９】
以下、図面に基づき本考案の実施の形態を説明する。
図１は、本考案の実施の形態の薬袋を示している。
図１に示すように、薬袋は、袋本体１の裏面に１乃至３１の日付表示２と広告表示３とを有している。薬袋は長方形状の紙袋から成り、日付表示２は１から１５までが裏面の右の縁４に沿って、１６から３１までが左の縁５に沿って印刷されている。その左右の日付表示２の間に、四角形の枠６が印刷されている。枠６は、上部が切れて、「月」の表示７が印刷されている。「月」の表示７には、何月かを書き込むことができる。枠６の内側は、広告の印刷スペースとなっており、広告表示３が印刷されている。広告表示３は、いかなる広告であってもよく、スーパーなどの店の広告のほか、清涼飲料などの商品の広告であってもよい。また、広告表示３には、健康に関する情報などを含んでいることが好ましい。それにより、広告表示３が目を引きやすくなる。
【００１０】
次に、作用について説明する。
図１に示すように、薬袋は、病院または薬局で薬を収容するのに用いられ、患者に手渡される。薬袋は、袋本体１の裏面に１乃至３１の日付表示２を有するため、袋内にいつまでの分の薬が入っているか、予めその日付に印を付けておくことにより、容易に確認することができる。また、薬を飲んだ日付をチェックすることにより、薬の飲み忘れを防止することができる。それらの日付を確認したりチェックしたりするたびに広告表示２を目にすることになるため、広告効果が高くなる。このため、広告主にとって売上を伸ばすうえで効果的である。病院または薬局では、広告主が袋代を負担することにより、無料または安価に薬袋を入手できるようになり、経費削減が可能である。
【図面の簡単な説明】
【００１１】
【図１】本考案の薬袋の裏面図である。
【符号の説明】
【００１２】
１    袋本体
２    日付表示
３    広告表示
４    右の縁
５    左の縁
６    枠
７    「月」の表示
【図１】
0003101871.tif 000003
【手続補正書】
【提出日】平成15年12月17日(2003.12.17)
【手続補正１】
【補正対象書類名】実用新案登録請求の範囲
【補正対象項目名】請求項１
【補正方法】変更
【補正の内容】
【請求項１】
袋本体の裏面に１乃至３１の日付表示と広告表示とが印刷されていることを特徴とする薬袋。